(57)【特許請求の範囲】
【請求項１】
データ伝送方法であって、
中継装置により、ゲートウェイが送信した第1の下りリンクデータを受信するステップと、
前記中継装置により、前記第1の下りリンクデータの第1のサービス識別子を取得するステップと、
前記中継装置により、サービス識別子とパケット毎優先度（PPP）情報との間の第1のマッピング関係に従って、前記第1のサービス識別子に対応する第1のPPP情報を取得するステップと、
前記中継装置により、前記第1のPPP情報に従って、前記第1の下りリンクデータを遠隔装置に転送するステップと、
を含み、
前記第1の下りリンクデータは、第1の下りリンクマルチキャストデータであり、
前記第1のサービス識別子は、一時的移動体グループ識別情報（TMGI）である、方法。
【請求項２】
前記中継装置により、近接ベースのサービスエンティティから前記第1のマッピング関係を取得するステップ
をさらに含む、請求項1に記載の方法。
【請求項３】
前記中継装置により、サービス識別子とPPP情報との間の第1のマッピング関係に従って、前記第1のサービス識別子に対応する第1のPPP情報を取得する前記ステップの前に、前記方法は、
前記中継装置により、前記遠隔装置が送信した、第1のTMGIを運ぶ監視要求を受信するステップと、
前記中継装置により、前記第1のTMGIを運ぶデータ優先度要求を近接ベースのサービスエンティティに送信するステップと、
前記中継装置により、前記近接ベースのサービスエンティティが送信した、前記TMGIとPPP情報との間の第1のマッピング関係を運ぶ、または前記第1のPPP情報を運ぶ、データ優先度応答を受信するステップと、
をさらに含む、請求項1に記載の方法。
【請求項４】
前記中継装置が、マルチキャストゲートウェイが送信した第1の下りリンクマルチキャストデータを受信する前に、前記方法は、
前記中継装置により、近接ベースのサービスエンティティが送信した第1の通知メッセージを受信するステップであって、前記第1の通知メッセージは、前記第1のサービス識別子と前記PPP情報との間の第2のマッピング関係を運ぶ、ステップと、
前記中継装置により、前記第1のマッピング関係を前記第2のマッピング関係に更新するステップと、
をさらに含む、請求項1または3に記載の方法。
【請求項５】
中継装置であって、
ゲートウェイが送信した第1の下りリンクデータを受信するように構成された送信モジュールと、
処理モジュールであって、
前記送信モジュールが受信した前記第1の下りリンクデータの第1のサービス識別子を取得し、
サービス識別子とパケット毎優先度（PPP）情報との間の第1のマッピング関係に従って、前記第1のサービス識別子に対応する第1のPPP情報を取得し、
前記送信モジュールを使用して、前記第1のPPP情報に従って、前記第1の下りリンクデータを遠隔装置に転送するように構成された処理モジュールと、
を備え、
前記第1の下りリンクデータは、第1の下りリンクマルチキャストデータであり、
前記第1のサービス識別子は、一時的移動体グループ識別情報（TMGI）である、中継装置。
【請求項６】
前記送信モジュールは、
近接ベースのサービスエンティティから前記第1のマッピング関係を取得する
ようにさらに構成される、請求項5に記載の中継装置。
【請求項７】
前記処理モジュールが、サービス識別子とPPP情報との間の前記第1のマッピング関係に従って、前記第1のサービス識別子に対応する前記第1のPPP情報を取得する前に、前記送信モジュールは、
前記遠隔装置が送信した、第1のTMGIを運ぶ監視要求を受信し、
前記第1のTMGIを運ぶデータ優先度要求を近接ベースのサービスエンティティに送信し、
前記近接ベースのサービスエンティティが送信した、前記TMGIとPPP情報との間の第1のマッピング関係を運ぶ、または前記第1のPPP情報を運ぶ、データ優先度応答を受信する
ようにさらに構成される、請求項5に記載の中継装置。
【発明の詳細な説明】
【技術分野】
【０００１】
本出願は、2015年8月25日に中国専利局に出願された「DATA TRANSMISSION METHOD, RELATED DEVICE, AND SYSTEM」と題する特許出願第PCT/CN2015/088052号の優先権を主張するものであり、参照によりその全体が本明細書に組み込まれる。
【０００２】
本発明は、無線通信技術の分野に関し、詳細には、データ伝送方法、関連装置、およびシステムに関する。
【背景技術】
【０００３】
従来のモバイルネットワークでは、ユーザ機器（正式名：User Equipment、略称：UE）間のデータ通信経路は、コアネットワークエンティティ、すなわち、サービングゲートウェイ（正式名：Serving Gateway、略称：SGW）またはパケットデータネットワークゲートウェイ（正式名：Packet Data Network Gateway、略称：P-GW）を通過する必要がある。UEが互いに近く、データを送信する必要がある場合、データは依然としてコアネットワークを介して送信される必要がある。これは、大量の帯域幅を占有し、帯域幅の量に対して高い要求を課し、従って、伝送効率は比較的低い。現在、近接サービス（正式名：Proximity Services、略称：ProSe）技術が通常使用されている。この技術は、UEが互いに発見することができるという条件で、ネットワークを使用することなく互いに近接したUE間で直接的なデータ交換を主に実施する。具体的な伝送プロセスは、セルカバレッジ外の遠隔（Remote）UEは、ProSe技術を使用して、セルカバレッジエリア内の中継（Relay）UEと通信し、中継UEは、中継機能を実現するように、既存のLTE技術を使用して、遠隔UEが送信したデータを、発展形NodeB（正式名：Evolved Node Base、略称：ENB）およびP-GWに転送することであり得る。
【０００４】
アプリケーションサーバ（Application Server）が遠隔UEにデータを送信する場合、アプリケーション層によって送信されたデータの優先順位が異なり、アプリケーションサーバがアプリケーション層（Application Layer）において異なる優先度を持ち、中継UEが、インターネットプロトコルヘッダ（正式名：Internet Protocol、略称：IP Header）だけしか解析できないことから、中継UEは、データを受信した後、アプリケーション層の優先度を知ることができない。結果として、遠隔UEにデータを送信する場合、中継UEは、データの優先順位に従ってデータを処理することしかできない。
【０００５】
上記の問題を解決するために、従来技術では以下、すなわち、アプリケーションサーバからデータを取得する場合、P-GWは、アプリケーションレベルの優先度に従って異なるデータベアラにデータをマッピングする方式が一般に用いられている。各ベアラは、対応するサービス品質クラス識別子（正式名：Quality Class Identifier、略称：QCI）を有する。中継UEは、受信データが位置するベアラのQCIと、QCIと優先度（Priority）との間の予め構成されたマッピング関係に従って、対応する優先度を取得し、優先順位に従って処理する。
【０００６】
ただし、優先度はアプリケーションレベルの固定パラメータであり、従って、上記のマッピング関係は固定である。ユニキャスト（Unicast）データ伝送プロセスでは、定義されたQCI量は、アプリケーションレベルの優先度と1対1の対応を形成するには不十分である。マルチメディアブロードキャストマルチキャストサービス（正式名：Multimedia Broadcast Multicast Service、略称：MBMS）データを受信する場合、中継UEは、MBMSデータのQCIを知らない。従って、既存の伝送規則は、MBMSデータおよびユニキャストデータの下りリンク伝送には適用できない。
【発明の概要】
【課題を解決するための手段】
【０００７】
本発明は、MBMSデータまたはユニキャストデータの下りリンク伝送に既存のデータ優先度取得方式を適用できないという問題を解決するために、データ伝送方法、関連装置、およびシステムを提供する。
【０００８】
本発明の実施態様の第1の実施態様は、データ伝送方法を提供し、本方法は、
中継装置によって、ゲートウェイが送信した第1の下りリンクデータを受信するステップと、
中継装置によって、第1の下りリンクデータの第1のサービス識別子を取得するステップと、
中継装置によって、サービス識別子とパケット毎優先度（PPP）情報との間の第1のマッピング関係に従って、第1のサービス識別子に対応する第1のPPP情報を取得するステップと、
中継装置によって、第1のPPP情報に従って、第1の下りリンクデータを遠隔装置に転送するステップと、
を含む。
【０００９】
第1の実施態様に関連して、本発明の第1の実施態様の第1の実装では、本方法は、
中継装置によって、近接ベースのサービスエンティティから第1のマッピング関係を取得するステップ
をさらに含む。第1のマッピング関係が設定された場合、中継装置は、第1の下りリンクデータの第1のPPP情報を迅速かつ正確に取得でき、従って、優先度情報に従って、第1の下りリンクデータを順次伝送できる。これにより、優先度の高いデータが確実に優先的に伝送される。
【００１０】
第1の実施態様または第1の実施態様の第1の実装に関連して、本発明の第1の実施態様の第2の実装では、第1の下りリンクデータは、第1の下りリンクユニキャストデータであり、第1のサービス識別子は、以下、すなわち、
差別化サービスコードポイント（DSCP）、トラヒッククラス（TC）、またはポート番号
のうちの1つを含む。
【００１１】
この実装では、対応するPPP情報取得メカニズムが、ユニキャストデータとマルチキャストデータとに別々に設定される。これにより、ユニキャスト、マルチキャスト、および異なる伝送プロトコルバージョンの場合にPPP情報を使用して下りリンクデータ伝送が完了し、さらに伝送メカニズムが改善される。加えて、ポート番号とPPP情報との間の第1のマッピング関係を設定することにより、下りリンクデータパケットにDSCPまたはTCを設定する必要なく、PPP情報を取得することもできる。これにより、ユニキャストデータの下りリンク伝送が実装され、動作ステップが減る。
【００１２】
第1の実施態様または第1の実施態様の第1の実装に関連して、本発明の第1の実施態様の第3の実装では、第1の下りリンクデータは、第1の下りリンクマルチキャストデータであり、第1のサービス識別子は、一時的移動体グループ識別情報（TMGI）である。TMGIとPPP情報との間の第1のマッピング関係を設定することにより、下りリンクデータパケットにDSCPまたはTCを設定する必要なく、PPP情報を取得することもできる。これにより、マルチキャストデータの下りリンク伝送が実装される。
【００１３】
本発明の第2の実施態様は、データ伝送方法を提供し、本方法は、
パケットデータネットワークゲートウェイによって、アプリケーション層が送信した第1の下りリンクデータを受信するステップと、
パケットデータネットワークゲートウェイによって、第1の下りリンクデータから第1のパケット毎優先度（PPP）情報を取得するステップと、
パケットデータネットワークゲートウェイによって、サービス識別子とPPP情報との間の第1のマッピング関係に従って、第1の下りリンクデータに、第1のPPP情報に対応する第1のサービス識別子を設定するステップと、
パケットデータネットワークゲートウェイによって、第1のサービス識別子が設定されている第1の下りリンクデータを中継装置に送信するステップと、
を含む。
【００１４】
第2の実施態様に関連して、本発明の第2の実施態様の第1の実装では、第1の下りリンクデータは、第1の下りリンクユニキャストデータであり、第1のサービス識別子は、差別化サービスコードポイント（DSCP）またはトラヒッククラス（TC）を含む。
【００１５】
この実装では、対応するPPP情報取得メカニズムが、異なる伝送プロトコルバージョンのユニキャストデータに設定される。これにより、異なる伝送プロトコルバージョンの場合にPPP情報を使用してユニキャストデータの下りリンク伝送が完了し、さらに伝送メカニズムが改善される。
【００１６】
本発明の第3の実施態様は、データ伝送方法を提供し、本方法は、
アプリケーションサーバによって、近接ベースのサービスエンティティが送信した、第1の一時的移動体グループ識別情報（TMGI）を運ぶデータ優先度要求を受信するステップと、
アプリケーションサーバによって、第1のTMGIに対応する第1のパケット毎優先度（PPP）情報を取得し、近接ベースのサービスエンティティを使用して、第1のPPP情報またはTMGIとPPP情報との間の第1のマッピング関係を中継装置に送信するステップと、
を含む。
【００１７】
第3の実施態様に関連して、本発明の第3の実施態様の第1の実装では、本方法は、
アプリケーションサーバによって、近接ベースのサービスエンティティに第1の通知メッセージを送信するステップであって、第1の通知メッセージは、第1のTMGIと第2のPPP情報との間の第2のマッピング関係を運ぶ、ステップ
をさらに含む。
【００１８】
一部のデータのPPP情報が更新され、その結果、伝送メカニズムはより柔軟であり、実際のサービス要件に応じて変化する。これにより、優先度のより高いデータが確実に優先的に伝送される。
【００１９】
本発明の第4の実施態様は、中継装置を提供し、中継装置は、
ゲートウェイが送信した第1の下りリンクデータを受信するように構成された送信モジュールと、
処理モジュールであって、送信モジュールが受信した第1の下りリンクデータの第1のサービス識別子を取得し、
サービス識別子とパケット毎優先度（PPP）情報との間の第1のマッピング関係に従って、第1のサービス識別子に対応する第1のPPP情報を取得し、
送信モジュールを使用して、第1のPPP情報に従って、第1の下りリンクデータを遠隔装置に転送するように構成された処理モジュールと、
を備える。
【００２０】
第4の実施態様に関連して、本発明の第4の実施態様の第1の実装では、送信モジュールは、
近接ベースのサービスエンティティから第1のマッピング関係を取得する
ようにさらに構成される。
【００２１】
第4の実施態様または第4の実施態様の第1の実装に関連して、本発明の第4の実施態様の第2の実装では、第1の下りリンクデータは、第1の下りリンクユニキャストデータであり、第1のサービス識別子は、以下、すなわち、
差別化サービスコードポイント（DSCP）、トラヒッククラス（TC）、またはポート番号
のうちの1つを含む。
【００２２】
第4の実施態様または第4の実施態様の第1の実装に関連して、本発明の第4の実施態様の第3の実装では、第1の下りリンクデータは、第1の下りリンクマルチキャストデータであり、第1のサービス識別子は、一時的移動体グループ識別情報（TMGI）である。
【００２３】
送信モジュールは、マルチキャストゲートウェイが送信した第1の下りリンクマルチキャストデータを受信するように特に構成される。
【００２４】
処理モジュールは、第1の下りリンクマルチキャストデータの第1のTMGIを取得し、第1のTMGI、およびTMGIとPPP情報との間の第1のマッピング関係に従って、第1のTMGIに対応する第5のPPP情報を取得し、
送信モジュールを使用して、第5のPPP情報に従って、第1の下りリンクマルチキャストデータを遠隔装置に転送するように特に構成される。
【００２５】
本発明の第5の実施態様は、パケットデータネットワークゲートウェイを提供し、パケットデータネットワークゲートウェイは、
アプリケーション層が送信した第1の下りリンクデータを受信するように構成された送信モジュールと、
処理モジュールであって、送信モジュールが受信した第1の下りリンクデータから第1のパケット毎優先度（PPP）情報を取得し、
サービス識別子とPPP情報との間の第1のマッピング関係に従って、第1の下りリンクデータに、第1のPPP情報に対応する第1のサービス識別子を設定し、
送信モジュールを使用して、第1のサービス識別子が設定されている第1の下りリンクデータを中継装置に送信するように構成された処理モジュールと、
を備える。
【００２６】
第5の実施態様に関連して、本発明の第5の実施態様の第1の実装では、第1の下りリンクデータは、第1の下りリンクユニキャストデータであり、第1のサービス識別子は、差別化サービスコードポイント（DSCP）またはトラヒッククラス（TC）を含む。
【００２７】
本発明の第6の実施態様は、アプリケーションサーバを提供し、アプリケーションサーバは、
近接ベースのサービスエンティティが送信した、第1の一時的移動体グループ識別情報（TMGI）を運ぶデータ優先度要求を受信するように構成された送信モジュールと、
送信モジュールが受信したデータ優先度要求における第1のTMGIに対応する第1のパケット毎優先度（PPP）情報を取得するように構成された処理モジュールと、
を備え、
送信モジュールは、近接ベースのサービスエンティティを使用して、処理モジュールが取得した第1のPPP情報およびTMGIとPPP情報との間の第1のマッピング関係を中継装置に送信するようにさらに構成される。
【００２８】
第6の実施態様に関連して、本発明の第6の実施態様の第1の実装では、送信モジュールは、
近接ベースのサービスエンティティに第1の通知メッセージを送信するようにさらに構成され、第1の通知メッセージは、TMGIとPPP情報との間の第2のマッピング関係を運ぶ。
【００２９】
本発明の第7の実施態様は、データ伝送方法であって、本方法は、
中継装置によって、ゲートウェイが送信した第1の下りリンクデータパケットを受信するステップと、
中継装置によって、取得された第1のデータストリーム記述およびデータストリーム記述と近接サービスのパケット毎優先度（PPPP）情報との間のマッピング関係に従って、第1の下りリンクデータパケットの第1のPPPP情報を取得するステップと、
中継装置によって、第1のPPPP情報に従って、第1の下りリンクデータパケットを遠隔装置に転送するステップと、
を含む。
【００３０】
第7の実施態様に関連して、本発明の第7の実施態様の第1の実装では、中継装置によって、第1の下りリンクデータパケットに従って、第1のデータストリーム記述を取得するステップは、
中継装置によって、第1の下りリンクデータパケットをフィルタリングして、第1の下りリンクデータパケットに対応する第1のデータストリーム記述を判定するステップ
を含む。
【００３１】
第7の実施態様に関連して、本発明の第7の実施態様の第2の実装では、中継装置によって、取得された第1のデータストリーム記述およびデータストリーム記述と近接サービスのパケット毎優先度（PPPP）情報との間のマッピング関係に従って、第1の下りリンクデータパケットの第1のPPPP情報を取得するステップの前に、本方法は、
中継装置によって、遠隔装置が送信した第1のメッセージを受信するステップであって、第1のメッセージは、マッピング関係および第1のデータストリーム記述を運び、または第1のメッセージは、マッピング関係を運ぶ、ステップ
をさらに含む。
【００３２】
第7の実施態様または第7の実施態様の第1もしくは第2の実装に関連して、本発明の第7の実施態様の第3の実装では、第1の下りリンクデータパケットがユニキャストデータパケットである場合、データストリーム記述は、インターネットプロトコル（IP）5タプルであり、
本方法は、
データストリーム記述は、同じアプリケーションサーバからのユニキャストデータパケットのPPPP情報を区別するために使用され、ユニキャストデータパケットのPPPP情報は、ポート番号によって表され、IP5タプルは、同じ送信元アドレス、同じ宛先アドレス、および異なるポート番号のセットを含む
をさらに含む。ユニキャストデータの下りリンク伝送は、中継装置のみを改良することによって実装できる。これは、改善コストを削減し、操作性が良い。
【００３３】
第7の実施態様または第7の実施態様の第1もしくは第2の実装に関連して、本発明の第7の実施態様の第4の実装では、第1の下りリンクデータパケットがマルチキャストデータパケットである場合、第1のデータストリーム記述は、一時的移動体グループ識別情報（TMGI）である。
【００３４】
第7の実施態様の第4の実装に関連して、本発明の第7の実施態様の第5の実装では、本方法は、
中継装置によって、遠隔装置が送信した優先度更新要求を受信するステップと、
中継装置によって、データストリーム記述とPPPP情報との間のマッピング関係を更新し、中継装置によって、遠隔装置に優先度更新応答を返すステップであって、優先度更新応答は、TMGIとPPP情報との間のマッピング関係を運ぶ、ステップと、
をさらに含む。ユニキャストデータの下りリンク伝送は、中継装置のみを改良することによって実装できる。これは、改善コストを削減し、操作性が良い。
【００３５】
第7の実施態様または第7の実施態様の第1から第5の実装のいずれか1つに関連して、本発明の第7の実施態様の第6の実装では、第1のデータストリーム記述は、以下の方式、すなわち、
第1のデータストリーム記述が、遠隔装置のIPアドレスに従って、アプリケーションサーバによって生成される方式、
第1のデータストリーム記述が、アプリケーションサーバが送信した第1の識別情報に、IP5タプルの宛先アドレスおよび第1の下りリンクデータパケットが送信される宛先ポートを追加することによって、遠隔装置によって取得される方式であって、第1の識別情報は、IP5タプルの送信元アドレスおよび第1の下りリンクデータパケットを送信する送信元ポートを含む、方式、または
第1のデータストリーム記述が、遠隔装置が送信した第2の識別情報に従って、中継装置によって生成され、第2の識別情報は、IP5タプルの送信元アドレス、IP5タプルの宛先アドレス、第1の下りリンクデータパケットを送信する送信元ポート、および第1の下りリンクデータパケットが送信される宛先ポートを含む、方式
のうちの1つで得られる。
【００３６】
本発明の第8の実施態様は、データ伝送方法を提供し、本方法は、
遠隔装置によって、第1のメッセージを中継装置に送信するステップであって、第1のメッセージは、第1のデータストリーム記述を運び、または第1のメッセージは、データストリーム記述と近接サービスのパケット毎優先度（PPPP）情報との間のマッピング関係を運ぶ、ステップと、
遠隔装置によって、中継装置が送信した第1の下りリンクデータパケットを受信するステップであって、第1の下りリンクデータパケットは、第1のPPPP情報に対応し、かつゲートウェイが送信した第1の下りリンクデータパケットを受信した後、マッピング関係または第1のデータストリーム記述のうちの少なくとも1つに従って、中継装置によって判定される、下りリンクデータパケットである、ステップと、
を含む。
【００３７】
第8の実施態様に関連して、本発明の第8の実施態様の第1の実装では、第1の下りリンクデータパケットがユニキャストデータパケットである場合、第1のデータストリーム記述は、インターネットプロトコル（IP）5タプルである。ユニキャストデータの下りリンク伝送は、遠隔装置のみを改良することによって実装できる。これは、改善コストを削減し、操作性が良い。
【００３８】
第8の実施態様に関連して、本発明の第8の実施態様の第2の実装では、第1の下りリンクデータパケットがマルチキャストデータパケットである場合、第1のデータストリーム記述は、一時的移動体グループ識別情報（TMGI）である。ユニキャストデータの下りリンク伝送は、遠隔装置のみを改良することによって実装できる。これは、改善コストを削減し、操作性が良い。
【００３９】
本発明の第8の実施態様または第8の実施態様の第1もしくは第2の実装に関連して、本発明の第8の実施態様の第3の実装では、第1のデータストリーム記述は、以下の方式、すなわち、
第1のデータストリーム記述が、遠隔装置のIPアドレスに従って、アプリケーションサーバによって生成される方式、または
第1のデータストリーム記述が、アプリケーションサーバが送信した第1の識別情報に、IP5タプルの宛先アドレスおよび第1の下りリンクデータパケットが送信される宛先ポートを追加することによって、遠隔装置によって取得される方式であって、第1の識別情報は、IP5タプルの送信元アドレスおよび第1の下りリンクデータパケットを送信する送信元ポートを含む、方式
のうちの1つで得られる。
【００４０】
本発明の第8の実施態様または第8の実施態様の第1から第3の実装のいずれか1つに関連して、本発明の第8の実施態様の第4の実装では、本方法は、
遠隔装置によって、中継装置に第2の識別情報を送信するステップであって、第2の識別情報は、IP5タプルの送信元アドレス、IP5タプルの宛先アドレス、第1の下りリンクデータパケットを送信する送信元ポート、および第1の下りリンクデータパケットが送信される宛先ポートを含む、ステップ
をさらに含む。
【００４１】
本発明の第9の実施態様は、中継装置を提供し、中継装置は、
プロセッサと、
実行可能なプログラムコードを記憶するように構成されたメモリと、
通信インターフェースと、
受信機および送信機と、
を備え、
プロセッサ、受信機、送信機、記憶装置、および通信インターフェースは、バスを使用して互いに通信し、
プロセッサは、記憶装置に記憶されたプログラムコードおよびデータを読み出し、プログラムコードは、命令を含み、プロセッサが命令を実行したとき、命令は、プロセッサに命令して、以下の動作、すなわち、
受信機を使用して、ゲートウェイが送信した第1の下りリンクデータパケットを受信する手順と、
第1の下りリンクデータパケットに従って、第1のデータストリーム記述を取得する手順と、
第1のデータストリーム記述およびデータストリーム記述と近接サービスのパケット毎優先度（PPPP）情報との間のマッピング関係に従って、第1の下りリンクデータパケットの第1のPPPP情報を取得する手順と、
送信機を使用して、第1のPPPP情報に従って、第1の下りリンクデータパケットを遠隔装置に転送する手順と、
を行う。
【００４２】
第9の実施態様に関連して、本発明の第9の実施態様の第1の実装では、プロセッサは、以下の手順、すなわち、
第1の下りリンクデータパケットをフィルタリングして、第1の下りリンクデータパケットに対応する第1のデータストリーム記述を判定する手順
を特に行う。
【００４３】
第9の実施態様に関連して、本発明の第9の実施態様の第2の実装では、プロセッサは、以下の手順、すなわち、
受信機を使用して、遠隔装置が送信した第1のメッセージを受信する手順であって、第1のメッセージは、マッピング関係を運ぶ、手順
をさらに行い得る。
【００４４】
第9の実施態様または第9の実施態様の第1もしくは第2の実装に関連して、本発明の第9の実施態様の第3の実装では、第1の下りリンクデータパケットがユニキャストデータパケットである場合、データストリーム記述は、インターネットプロトコル（IP）5タプルであり、
データストリーム記述は、同じアプリケーションサーバからのユニキャストデータパケットのPPPP情報を区別するために使用され、ユニキャストデータパケットのPPPP情報は、ポート番号によって表され、IP5タプルは、同じ送信元アドレス、同じ宛先アドレス、および異なるポート番号のセットを含む。
【００４５】
第9の実施態様または第9の実施態様の第1もしくは第2の実装に関連して、本発明の第9の実施態様の第4の実装では、第1の下りリンクデータパケットがマルチキャストデータパケットである場合、データストリーム記述は、一時的移動体グループ識別情報（TMGI）である。
【００４６】
第9の実施態様の第4の実装に関連して、本発明の第9の実施態様の第5の実装では、プロセッサは、以下の手順、すなわち、
送信機を使用して、遠隔装置が送信した優先度更新要求を受信する手順と、
データストリーム記述とPPPP情報との間のマッピング関係を更新する手順と、
送信機を使用して、遠隔装置に優先度更新応答を返す手順と、
をさらに行い得る。
【００４７】
第9の実施態様または第9の実施態様の第1から第5の実装のいずれか1つに関連して、本発明の第9の実施態様の第6の実装では、第1のデータストリーム記述は、以下の方式、すなわち、
第1のデータストリーム記述が、遠隔装置のIPアドレスに従って、アプリケーションサーバによって生成される方式、
第1のデータストリーム記述が、アプリケーションサーバが送信した第1の識別情報に、IP5タプルの宛先アドレスおよび第1の下りリンクデータパケットが送信される宛先ポートを追加することによって、遠隔装置によって取得される方式であって、第1の識別情報は、IP5タプルの送信元アドレスおよび第1の下りリンクデータパケットを送信する送信元ポートを含む、方式、または
第1のデータストリーム記述が、遠隔装置が送信した第2の識別情報に従って、中継装置によって生成される方式であって、第2の識別情報は、IP5タプルの送信元アドレス、IP5タプルの宛先アドレス、第1の下りリンクデータパケットを送信する送信元ポート、および第1の下りリンクデータパケットが送信される宛先ポートを含む、方式
のうちの1つで得られる。
【００４８】
本発明の第10の実施態様は、遠隔装置を提供し、遠隔装置は、
プロセッサと、
実行可能なプログラムコードを記憶するように構成されたメモリと、
通信インターフェースと、
受信機および送信機と、
を備え、
プロセッサ、受信機、送信機、記憶装置、および通信インターフェースは、バスを使用して互いに通信し、
プロセッサは、記憶装置に記憶されたプログラムコードおよびデータを読み出し、プログラムコードは、命令を含み、プロセッサが命令を実行したとき、命令は、プロセッサに命令して、以下の動作、すなわち、
送信機を使用して、第1のメッセージを中継装置に送信する手順であって、第1のメッセージは、第1のデータストリーム記述を運び、または第1のメッセージは、データストリーム記述と近接サービスのパケット毎優先度（PPPP）情報との間のマッピング関係を運ぶ、手順と、
受信機を使用して、中継装置が送信した第1の下りリンクデータパケットを受信する手順であって、第1の下りリンクデータパケットは、第1のPPPP情報に対応し、かつゲートウェイが送信した第1の下りリンクデータパケットを受信した後、マッピング関係または第1のデータストリーム記述のうちの少なくとも1つに従って、中継装置によって判定される、下りリンクデータパケットである、手順と、
を行う。
【００４９】
第10の実施態様に関連して、本発明の第10の実施態様の第1の実装では、第1の下りリンクデータパケットがユニキャストデータパケットである場合、第1のデータストリーム記述は、インターネットプロトコル（IP）5タプルである。
【００５０】
第10の実施態様に関連して、本発明の第10の実施態様の第2の実装では、第1の下りリンクデータパケットがマルチキャストデータパケットである場合、第1のデータストリーム記述は、一時的移動体グループ識別情報（TMGI）である。
【００５１】
本発明の第8の実施態様または第10の実施態様の第1もしくは第2の実装に関連して、本発明の第10の実施態様の第3の実装では、第1のデータストリーム記述は、以下の方式、すなわち、
第1のデータストリーム記述が、遠隔装置のIPアドレスに従って、アプリケーションサーバによって生成される方式、または
第1のデータストリーム記述が、アプリケーションサーバが送信した第1の識別情報に、IP5タプルの宛先アドレスおよび第1の下りリンクデータパケットが送信される宛先ポートを追加することによって、遠隔装置によって取得される方式であって、第1の識別情報は、IP5タプルの送信元アドレスおよび第1の下りリンクデータパケットを送信する送信元ポートを含む、方式
のうちの1つで得られる。
【００５２】
本発明の第10の実施態様または第10の実施態様の第1から第3の実装のいずれか1つに関連して、本発明の第10の実施態様の第4の実装では、プロセッサは、以下の手順、すなわち、
送信機を使用して、中継装置に第2の識別情報を送信する手順であって、第2の識別情報は、IP5タプルの送信元アドレス、IP5タプルの宛先アドレス、第1の下りリンクデータパケットを送信する送信元ポート、および第1の下りリンクデータパケットが送信される宛先ポートを含む、手順
をさらに行い得る。
【００５３】
本発明の各実施態様では、中継装置は、サービス識別子とPPP情報との間の第1のマッピング関係を予め構成し、第1の下りリンクデータを受信した後、中継装置は、第1の下りリンクデータの第1のサービス識別子を取得し、かつ第1のマッピング関係に従って、第1のサービス識別子に対応する第1のPPP情報を取得し、次いで、第1のPPP情報に従って、第1の下りリンクデータを転送する。下りリンクデータパケットのPPP情報を正確かつ迅速に取得することができ、下りリンクデータ伝送の速度および精度が向上する。
【図面の簡単な説明】
【００５４】
【図１】本発明の一実施形態によるデータ伝送方法の流れ図である。
【図２】本発明の一実施形態によるデータ伝送方法の流れ図である。
【図２−１】本発明の一実施形態による第1の下りリンクデータの概略的な構造図である。
【図２−２】本発明の一実施形態による第1の下りリンクデータの別の概略的な構造図である。
【図３】本発明の一実施形態によるデータ伝送方法の流れ図である。
【図４】本発明の一実施形態によるデータ伝送方法のシグナリング相互作用図である。
【図５】本発明の一実施形態によるデータ伝送方法のシグナリング相互作用図である。
【図６】本発明の一実施形態による中継装置の概略的な構造図である。
【図７】本発明の一実施形態によるパケットデータネットワークゲートウェイの概略的な構造図である。
【図８】本発明の一実施形態によるアプリケーションサーバの概略的な構造図である。
【図９】本発明の一実施形態による通信システムの概略的な構造図である。
【図１０】本発明の一実施形態による中継装置の別の概略的な構造図である。
【図１１】本発明の一実施形態によるパケットデータネットワークゲートウェイの別の概略的な構造図である。
【図１２】本発明の一実施形態によるアプリケーションサーバの別の概略的な構造図である。
【図１３】本発明の一実施形態によるデータ伝送方法の流れ図である。
【図１４】本発明の一実施形態による別のデータ伝送方法の流れ図である。
【図１５】本発明の一実施形態による中継装置の別の概略的な構造図である。
【図１６】本発明の一実施形態による遠隔装置の別の概略的な構造図である。
【発明を実施するための形態】
【００５５】
以下、本発明の実施形態における添付の図面を参照しながら、本発明の実施形態における技術的な解決策を明確かつ十分に説明する。当然のことながら、説明される実施形態は、単に本発明の実施形態の一部に過ぎず、そのすべてではない。本発明の実施形態に基づいて、当業者によって創造的労力なしに得られるすべての他の実施形態は、本発明の保護範囲内に含まれるものとする。
【００５６】
本発明の明細書、特許請求の範囲および添付の図面において、「第1」、「第2」などの用語は類似のオブジェクトを区別することを意図しているが、必ずしも特定の順序またはシーケンスを示すものではない。そのように名付けられたデータは、本明細書に記載された本発明の実施形態が、本明細書に図示または記載された順序とは異なる順序で実施され得るように、適切な状況において交換可能であることを理解されたい。さらに、用語「含む（include）」、「含む（contain）」および任意の他の変形は、非排他的な包含を包含することを意味し、例えば、ステップまたはモジュールのリストを含むプロセス、方法、システム、製品またはデバイスは、これらのステップまたはモジュールに必ずしも限定されず、明示的に列挙されていない他のステップまたはモジュール、またはそのようなプロセス、方法、システム、製品もしくは装置に固有のものではない他のステップまたはモジュールを含み得る。本明細書におけるモジュールの分割は単なる論理的機能分割に過ぎず、実際の実装に際しては他の分割も可能である。例えば、複数のモジュールが組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを使用して実現することもできる。モジュール間の間接結合または通信接続は、電子的形態、または他の形態として実現することができ、このことは、本明細書では限定されない。加えて、別々の部品として記述されたモジュールまたはサブモジュールは物理的に分離している場合もそうでない場合もあり、物理的モジュールである場合もそうでない場合もあり、複数の回路モジュール上に分散される場合もある。モジュールの一部または全部を、本発明の各実施形態の解決策の目的を達成するための実際の必要に従って選択することもできる。
【００５７】
本発明の実施形態は、無線通信技術の分野で使用され、かつeMBMSデータおよびユニキャストデータの下りリンク伝送に既存のデータ優先度取得方式を適用できないという問題を解決し得る、データ伝送方法、関連装置、およびシステムを提供する。以下、詳細を説明する。
【００５８】
現在の技術分野では、パケットデータネットワークゲートウェイを用いることによってのみ、Unicastデータを処理することができ、MBMSデータはMBMSゲートウェイを用いることによってのみ処理できる、とプロトコルによって規定されている。例えば、中継装置が、既存の伝送メカニズムに従ってMBMSゲートウェイからMBMSデータを受信する過程において、すなわち、QCIに従ってPPP情報が判定される場合、MBMSデータのQCIを知ることができない。そのため、対応するPPP情報を取得することができず、結果として、中継装置は、PPP情報に従ってデータを送信することができない。
【００５９】
加えて、本明細書の遠隔装置は、ネットワーク側と直接通信できない装置であり、中継装置を使用して、遠隔装置をネットワークに接続する必要がある。中継装置は、遠隔装置とネットワーク側との間のデータ伝送のための接続装置である。
【００６０】
上記技術的課題を解決するために、本発明の実施形態は、以下の主な解決策を提供する。
【００６１】
1．下りリンクデータの第1のサービス識別子を取得する。
【００６２】
第1のサービス識別子は、差別化サービスコードポイント（正式名：Differentiated Services Code Point、略称：DSCP）情報、一時的移動体グループ識別情報（正式名：Temporary Mobile Group Identity、略称：TMGI）、またはトラヒッククラス（正式名：Traffic Class、略称：TC）を含んでもよいし、またはポート番号を直接使用してもよい。
【００６３】
DSCPは、コード値を使用して優先度を区別するために、各データヘッダのサービスタイプTOS識別子バイトの6つの使用済みビットと2つの未使用ビットとを使用する。
【００６４】
TCは、カプセル化されたIPv6パケットのタイプまたは優先順位を表す。
【００６５】
ポート番号は、送信元ポート番号、宛先ポート番号、または送信元ポート番号と宛先ポート番号との組み合わせであってもよい。
【００６６】
TMGIは、ブロードキャスト／マルチキャストサービス制御（正式名：Broadcast Multicast-Service Control、略称：BM-SC）を使用して動的に割り当てられる。TMGIは、マルチキャストサービスメッセージまたはブロードキャストサービスメッセージの識別に使用されてもよい。
【００６７】
2．サービス識別子とパケット毎優先度（正式名：Per packet priority、略称：PPP）の情報との間の第1のマッピング関係を予め構成する。
【００６８】
PPP情報は、送信中の各データの優先度、すなわち、PC5インターフェース上でのデータ伝送中のUE内またはUE間の異なるデータパケットの優先度を表す。加えて、本明細書におけるデータは、データパケットとも呼ばれ、データの優先度は、データパケットの優先度と呼ばれ、差はない。
【００６９】
3．第1のマッピング関係および第1のサービス識別子に従って、第1のPPP情報を取得し、第1のPPP情報を使用して、下りリンク（正式名：Downlink、略称：DL）データを転送する。
【００７０】
図1を参照して、以下、本発明におけるデータ伝送方法について、中継装置の観点からの一例を用いて説明する。本方法は、以下のステップを含む。
【００７１】
101．中継装置は、ゲートウェイが送信した第1の下りリンクデータを受信する。
【００７２】
102．中継装置は、第1の下りリンクデータの第1のサービス識別子を取得する。
【００７３】
第1のサービス識別子は、直接取得され得る。第1のサービス識別子がIP Header、すなわち第1の下りリンクデータのデータヘッダに設定されている場合、中継装置は、第1のサービス識別子を直接読み取ることができる。
【００７４】
ゲートウェイは、P-GW、SGW、マルチキャストゲートウェイ（正式名：Multimedia Broadcast Multicast Service、略称：MBMS-GW）などを含み得ることが理解されよう。
【００７５】
103．中継装置は、サービス識別子とパケット毎優先度（PPP）情報との間の第1のマッピング関係に従って、第1のサービス識別子に対応する第1のPPP情報を取得する。
【００７６】
第1のマッピング関係は、アプリケーションサーバが受信した情報から取得されてもよいし、認証プロセスにおいて近接ベースのサービスエンティティから取得されてもよい。
【００７７】
104．中継装置は、第1のPPP情報に従って第1の下りリンクデータを遠隔装置に転送する。
【００７８】
つまり、複数のデータパケットを転送する必要がある場合、データパケットは、各データパケットのPPP情報に従って、かつ優先度が高い方から順番に、転送される必要がある。例えば、優先度1のデータパケットが最も高い優先度を有する。従って、優先度N＋1のデータパケットを処理する前に、中継装置は、優先度Nのすべてのデータパケットをまず処理する。
【００７９】
本発明の本実施形態では、中継装置は、サービス識別子とPPP情報との間の第1のマッピング関係を予め構成する。第1の下りリンクデータを受信した後、中継装置は、第1の下りリンクデータの第1のサービス識別子を取得し、かつ第1のマッピング関係に従って、第1のサービス識別子に対応する第1のPPP情報を取得し、次いで、第1のPPP情報に従って、第1の下りリンクデータを転送する。これにより、中継装置は、データ優先度に従って優先度の高いデータを素早く転送し、複数回のマッピングを行う必要なく、下りリンクデータパケットのPPP情報を正確かつ迅速に得ることができる。これは、下りリンクデータ伝送の速度および精度を効果的に改善する。
【００８０】
第1のマッピング関係は、近接ベースのサービスエンティティから取得されてもよいし、予め構成されていてもよいし、前述のゲートウェイまたは別のネットワーク要素から取得されてもよい。具体的な取得方式は、本明細書において限定されない。第1のマッピング関係が設定された場合、中継装置は、第1の下りリンクデータの第1のPPP情報を迅速かつ正確に取得でき、従って、第1の下りリンクデータを正確に伝送できる。これにより、データの精度が向上し、伝送遅延が少なくなる。
【００８１】
場合により、第1の下りリンクデータパケットは、ユニキャストデータまたはマルチキャストデータを含み、ユニキャストデータおよびマルチキャストデータを送信するためのメカニズムが異なることから、ユニキャストデータおよびマルチキャストデータに対してそれぞれ対応する設定を別々に実行する必要がある。つまり、第1の下りリンクデータは、第1の下りリンクユニキャストデータである場合、第1のサービス識別子は、以下、すなわち、
差別化サービスコードポイント（DSCP）、トラヒッククラス（TC）、またはポート番号
のうちの1つを含む。
【００８２】
あるいは、第1の下りリンクデータは、第1の下りリンクマルチキャストデータである場合、第1のサービス識別子は、一時的移動体グループ識別情報（TMGI）である。
【００８３】
従って、第1のマッピング関係は、
DSCPとPPP情報との間の第1のマッピング関係、TMGIとPPP情報との間の第1のマッピング関係、TCとPPP情報との間の第1のマッピング関係、またはポート番号PPP情報との間の第1のマッピング関係
を含む。
【００８４】
この実装では、対応するPPP情報取得メカニズムが、ユニキャストデータとマルチキャストデータとに別々に設定される。これにより、ユニキャスト、マルチキャスト、および異なる伝送プロトコルバージョンの場合にPPP情報を使用して下りリンクデータ伝送が完了し、さらに伝送メカニズムが改善される。
【００８５】
例えば、下りリンク伝送はUnicastデータおよびMBMSデータに対して実行されるため、使用されるマッピング関係は異なる。以下、UnicastデータとMBMSデータとの下りリンク伝送について別々に説明する。
【００８６】
1．Unicastデータでは、DSCPとPPP情報との間の第1のマッピング関係、TCとPPP情報との間の第1のマッピング関係、またはポート番号とPPP情報との間の第1のマッピング関係は、対応するPPP情報を取得するために使用されて、第1の下りリンクデータを後で送信する。詳細は以下のとおりである。
【００８７】
a．第1のサービス識別子がDSCPである場合、
第1の下りリンクユニキャストデータを受信した後、中継装置は、第1の下りリンクユニキャストデータから第1のDSCPを取得し、DSCPとPPP情報との間の第1のマッピング関係に従って、第1のDSCPに対応する第2のPPP情報を取得し、第2のPPP情報に従って、第1の下りリンクユニキャストデータを遠隔装置に転送する。
【００８８】
インターネットプロトコルバージョン4（正式名：Internet Protocol Version4、略称：IPV4）では、DSCPを使用できる、つまり、IPV4ユニキャストデータに対してのみであることがわかる。
【００８９】
b．第1のサービス識別子がTCである場合、
第1の下りリンクユニキャストデータを受信した後、中継装置は、第1の下りリンクユニキャストデータから第1のTCを取得し、TCとPPP情報との間の第1のマッピング関係に従って、第1のTCに対応する第3のPPP情報を取得し、第3のPPP情報に従って、第1の下りリンクユニキャストデータを遠隔装置に転送する。
【００９０】
インターネットプロトコルバージョン6（正式名：Internet Protocol Version6、略称：IPV6）では、TCを使用できる、つまり、IPV6ユニキャストデータに対してのみであることがわかる。
【００９１】
c．第1のサービス識別子がポート番号である場合、
第1の下りリンクユニキャストデータを受信した後、中継装置は、第1の下りリンクユニキャストデータから第1のポート番号を取得し、ポート番号とPPP情報との間の第1のマッピング関係に従って、第1のポート番号に対応する第4のPPP情報を取得し、第4のPPP情報に従って、第1の下りリンクユニキャストデータを遠隔装置に転送する。
【００９２】
aとbとの2つのケースでは、DSCPまたはTCフラグを下りリンクデータのデータヘッダに設定する必要があるが、cのケースでは、ポート番号とPPP情報との間の第1のマッピング関係は、下りリンクデータにフラグを追加設定する必要なしに、直接構成され得る。これにより、動作が効果的に簡略化され、伝送遅延が少なくなる。加えて、下りリンクデータパケットにDSCPまたはTCが設定されていない場合、PPP情報は、ポート番号とPPP情報との間の第1のマッピング関係に従って取得され、それによって、ユニキャストデータの下りリンク伝送を実装し得る。
【００９３】
2．MBMSデータでは、TMGIとPPP情報との間の第1のマッピング関係を使用して、対応するPPP情報を取得することができる。つまり、第1のサービス識別子がTMGIである場合、
マルチキャストゲートウェイが送信した第1の下りリンクマルチキャストデータを受信した後、中継装置は、第1の下りリンクマルチキャストデータの第1のTMGIを取得し、第1のTMGIおよびTMGIとPPP情報との間の第1のマッピング関係に従って、第1のTMGIに対応する第5のPPP情報を取得し、第5のPPP情報に従って、第1の下りリンクマルチキャストデータを遠隔装置に転送する。TMGIとPPP情報との間の第1のマッピング関係を設定することにより、下りリンクデータパケットにDSCPまたはTCを設定する必要なく、PPP情報を取得することもでき、それによって、マルチキャストデータの下りリンク伝送を実装し得ることがわかる。
【００９４】
場合により、前述のマッピング関係は、データのQCIをさらに含むことができる。中継装置は、優先度の高いQCIのデータを優先的に処理し、すなわち、QCIで識別されるクラスの降順に、QCIに対応するデータを処理する。すなわち、QCIクラスのデータのシーケンスが最初に判定される。複数のデータパケットが同じQCIに対応する場合（すなわち、複数のPPP情報が同一のQCIに対応する場合）、第2のマッピング関係に従って各データのDSCPに対応するPPP情報を取得し、取得したPPP情報に従って送信動作を行うことができる。これにより、クラスベースの処理を実装することができ、その結果、送信は整然と効果的に実行される。
【００９５】
例えば、都市Aから都市Bへと運転するための複数のタイプの経路が存在する（QCIは、経路クラスを提示するために使用される。例えば、高速経路、速い経路、遅い経路などがある）。3つのタイプの経路に対応する列車は、QCIに従ってまず判定され、同じタイプの経路に属する列車（各列は対応するDSCPで識別される）が、指定された出発時刻（PPP情報）に従って、別々に、続けて出発する。このようにして、駅の正常な動作を順番に管理することができる。
【００９６】
場合により、本発明の実施形態の第1の任意選択の実施形態では、中継装置が第1のTMGIに対応する第1のPPP情報を格納しない場合、中継装置は、TMGI優先度要求メッセージをマルチキャストセッション層に送信する。従って、中継装置が、サービス識別子とパケット毎優先度（PPP）情報との間の第1のマッピング関係に従って、第1のサービス識別子に対応する第1のPPP情報を取得する前に、本方法は、
中継装置によって、第1のTMGIを運び、かつ遠隔装置が送信した、監視要求を受信するステップと、
中継装置によって、第1のTMGIを運ぶデータ優先度要求を近接ベースのサービスエンティティに送信するステップと、
中継装置によって、近接ベースのサービスエンティティが送信した、TMGIとPPP情報との間の第1のマッピング関係を運ぶ、または第1のPPP情報を運ぶ、データ優先度応答を受信するステップと、
をさらに含む。
【００９７】
場合により、前述の第1の任意選択の実施形態に基づいて、本発明の実施形態の第2の任意の実施形態では、中継装置が、マルチキャストゲートウェイが送信した第1の下りリンクマルチキャストデータを受信する前に、本方法は、
中継装置によって、近接ベースのサービスエンティティが送信した第1の通知メッセージを受信するステップであって、第1の通知メッセージは、第1のサービス識別子とPPP情報との間の第2のマッピング関係を運び、第2のマッピング関係は、近接ベースのサービスエンティティによってアプリケーションサーバから取得される、ステップと、
中継装置によって、第1のマッピング関係を第2のマッピング関係に更新するステップと、
をさらに含む。
【００９８】
第1の通知メッセージは、複数の下りリンクマルチキャストデータにおける少なくとも1つの下りリンクマルチキャストデータのPPP情報が変化した（例えば、高くなるまたは低くなる）と判断した場合に、アプリケーションサーバが第2の通知メッセージを近接ベースのサービスエンティティに送信した後に、近接ベースのサービスエンティティが中継装置に送信したメッセージである、または第1の通知メッセージは、いくつかのTMGIのPPP情報を自発的に変更すると判定した場合に、マルチキャストセッション層が配信したTMGI優先度変更通知メッセージであり得る。一部のデータのPPP情報が更新され、その結果、伝送メカニズムはより柔軟であり、実際のサービス要件に応じて変化する。これにより、より優先度の高いデータが優先的に送信されることが保証される（例えば、特定の期間において、データAの優先度が比較的低く、特定の期間においてデータAの優先度が高くなる可能性があるため、優先的な送信のための権利を得るために送信メカニズムを更新する必要がある）。
【００９９】
例えば、中継装置が、TMGIとPPP情報との間のローカルに構成された第1のマッピング関係を第2のマッピング関係に更新した後、下りリンクデータパケットに対する処理規則は、以下のとおりである。
【０１００】
TMGIとPPP情報との間の第1のマッピング関係が更新される前に、受信された下りリンクデータパケットは元の優先度に従って処理される。TMGIとPPP情報との間の第1のマッピング関係が更新された後、受信された下りリンクデータパケットは新しい優先度に従って処理される。本明細書では細部を説明しない。
【０１０１】
少なくとも1つの下りリンクマルチキャストデータのPPP情報が変更された場合、トリガ条件が満たされたときに第1の通知メッセージが送信されるように設定することができることが理解されよう。例えば、トリガ条件は、aまたはbのうちの少なくとも1つを満たすことができる。
a．m個の下りリンクマルチキャストデータパケットのPPP情報が変化する。
b．n個の下りリンクマルチキャストデータパケットのPPP情報の変更値が第1の閾値を超える。
【０１０２】
当然のことながら、期間tはまた、頻繁な更新を避けるために、第1の通知メッセージを報告するように設定されてもよい。
【０１０３】
図2を参照して、以下、本発明におけるデータ伝送方法について、パケットデータネットワークゲートウェイの観点からの一例を用いて説明する。本方法は、以下のステップを含む。
【０１０４】
201．パケットデータネットワークゲートウェイは、アプリケーション層が送信した第1の下りリンクデータを受信する。
【０１０５】
第1の下りリンクデータはユニキャストデータである。
【０１０６】
202．パケットデータネットワークゲートウェイは、第1の下りリンクデータから第1のパケット毎優先度（PPP）情報を取得する。
【０１０７】
パケットデータネットワークゲートウェイは、適切なポリシーおよび課金制御（正式名：Policy and charging control、略称：PCC）規則を予め構成することができる。例えば、パケットデータネットワークゲートウェイは、PCC規則におけるアプリケーション識別子を使用して、第1の下りリンクデータパケットのPPP情報を判定することができる。加えて、パケットデータネットワークゲートウェイは、アプリケーション層のためにアプリケーション識別子とPPP情報との間の第1マッピング関係を構成することもできる。
【０１０８】
アプリケーション層が第1の下りリンクデータを受信した後、パケットデータネットワークゲートウェイは、PCC規則に従って、フィルタリングによって第1の下りリンクデータから第1のPPP情報を得ることができる。
【０１０９】
203．パケットデータネットワークゲートウェイは、サービス識別子とパケット毎優先度（PPP）情報との間の第1のマッピング関係に従って、第1の下りリンクデータにおいて、第1のPPP情報に対応する第1のサービス識別子を設定する。
【０１１０】
第1のサービス識別子は、差別化サービスコードポイント（DSCP）またはトラヒッククラス（TC）を含み、第1のマッピング関係は、
DSCPとPPP情報との間の第1のマッピング関係と、TCとPPP情報との間の第1のマッピング関係と、
を含む。
【０１１１】
具体的には、パケットデータネットワークゲートウェイは、ローカルに格納された第1のマッピング関係に従って、第1の下りリンクデータのデータヘッダに第1のアプリケーション識別子を設定することができる。すなわち、パケットデータネットワークゲートウェイは、第1の下りリンクデータのデータヘッダに第1のDSCPまたは第1のTCを設定することができる。具体的には、第1のDSCPが設定されたデータ構造図については、図2-1を参照し、第1のTCが設定されたデータ構造図については、図2-2を参照されたい。
【０１１２】
204．パケットデータネットワークゲートウェイは、第1のサービス識別子が設定された第1の下りリンクデータを中継装置に送信する。
【０１１３】
具体的には、パケットデータネットワークゲートウェイは、下りリンクトラヒックフィルタテンプレート（正式名：Traffic Filter Template、略称：TFT）を使用して、第1の下りリンクデータパケットを対応するデータベアラにマッピングする。TFTは、データベアラにマッピングされたデータパケットのためのすべてのフィルタのセットである。
【０１１４】
第1のサービス識別子が第1の下りリンクデータに設定され、その結果、第1のサービス識別子を取得するステップの後、中継装置は、第1のマッピング関係に従って、第1のサービス識別子に対応する第1のPPP情報を取得し、第1のPPP情報に従って、第1の下りリンクデータを遠隔装置に転送する。
【０１１５】
本発明の本実施形態では、パケットデータネットワークゲートウェイは、ローカルに格納された第1のマッピング関係に従って、受信した第1の下りリンクデータに第1のサービス識別子を設定し、その結果、第1の下りリンクデータを受信した後、中継装置は、第1の下りリンクデータから第1のサービス識別子を取得し、かつ第1のマッピング関係に従って、第1のサービス識別子に対応する第1のPPP情報を取得し、次いで、第1のPPP情報に従って、第1の下りリンクデータを転送する。これにより、中継装置は、データ優先度に応じて優先度の高いデータを素早く転送することができる。
【０１１６】
例えば、Unicastデータでは、DSCPとPPP情報との間の第1のマッピング関係、またはTCとPPP情報との間の第1のマッピング関係は、対応するPPP情報を取得するために使用されて、第1の下りリンクデータを後で送信する。詳細は以下のとおりである。
【０１１７】
1．第1のサービス識別子が（IPV4のための）DSCPである場合、
パケットデータネットワークゲートウェイは、第1の下りリンクデータから第1のPPP情報を取得し、
パケットデータネットワークゲートウェイは、DSCPとPPP情報との間の第1のマッピング関係に従って、第1の下りリンクデータに、第1のPPP情報に対応する第1のDSCPを設定し、
パケットデータネットワークゲートウェイは、第1のDSCPが設定された第1の下りリンクデータを中継装置に送信し、その結果、第1のDSCPを取得するステップの後、中継装置は、第1のマッピング関係に従って、第1のDSCPに対応する第1のPPP情報を取得し、第1のPPP情報に従って、第1の下りリンクデータを遠隔装置に転送する。
【０１１８】
2．第1のサービス識別子が（IPV6のための）TCである場合、
パケットデータネットワークゲートウェイは、第1の下りリンクデータから第1のPPP情報を取得し、
パケットデータネットワークゲートウェイは、TCとPPP情報との間の第1のマッピング関係に従って、第1の下りリンクデータに、第1のPPP情報に対応する第1のTCを設定し、
パケットデータネットワークゲートウェイは、第1のTCが設定された第1の下りリンクデータを中継装置に送信し、その結果、第1のTCを取得するステップの後、中継装置は、第1のマッピング関係に従って、第1のTCに対応する第1のPPP情報を取得し、第1のPPP情報に従って、第1の下りリンクデータを遠隔装置に転送する。
【０１１９】
1および2の2つのケースでは、対応するPPP情報取得メカニズムが、異なる伝送プロトコルバージョンのユニキャストデータに設定される。これにより、異なる伝送プロトコルバージョンの場合にPPP情報を使用してユニキャストデータの下りリンク伝送が完了し、さらに伝送メカニズムが改善される。
【０１２０】
図3を参照して、以下、本発明におけるデータ伝送方法について、アプリケーションサーバの観点からの一例を用いて説明する。本方法は、以下のステップを含む。
【０１２１】
301．アプリケーションサーバは、第1の一時的移動体グループ識別情報（TMGI）を運び、かつ近接ベースのサービスエンティティが送信した、データ優先度を受信する。
【０１２２】
302．アプリケーションサーバは、第1のTMGIに対応する第1のPPP情報を取得する。
【０１２３】
アプリケーションサーバは、各TMGIに対応するPPP情報を知っているので、アプリケーションサーバは、第1のパケット毎優先度（PPP）情報を直接取得することができる。
【０１２４】
303．アプリケーションサーバは、近接ベースのサービスエンティティを使用して、第1のPPP情報およびTMGIとPPP情報との間の第1のマッピング関係を中継装置に送信する。
【０１２５】
アプリケーションサーバは、第1のPPP情報を中継装置に送信し、その結果、第1の下りリンクデータを受信した後、中継装置は、第1のTMGIを取得し、TMGIとPPP情報との間の第1のマッピング関係に従って、第1のPPP情報を取得し、第1のPPP情報に従って、第1の下りリンクデータを遠隔装置に転送する。当然のことながら、アプリケーションサーバはまた、TMGIとPPP情報との間の第1のマッピング関係を中継装置に送信してもよい。
【０１２６】
中継装置は、複数のPPP情報を受信する。従って、中継装置は、下りリンクデータパケットを受信すると、第1のマッピング関係に従って、対応するPPP情報を取得する必要がある。
【０１２７】
本発明の本実施形態では、アプリケーションサーバは、データ優先度要求を受信した後、第1のPPP情報を取得し、近接ベースのサービスエンティティを使用して、第1のPPP情報を中継装置に返し、その結果、中継装置は、第1のPPP情報およびローカルに格納された第1のマッピング関係に従って、第1の下りリンクデータを遠隔装置に転送できる。これにより、中継装置は、データ優先度に応じて優先度の高いデータを素早く転送することができる。
【０１２８】
場合により、図3に対応する前述の実施形態に基づいて、本発明の実施形態の第1の任意の実施形態では、第1のTMGIに対応する第1のPPP情報が変化する場合、本方法は、
アプリケーションサーバによって、近接ベースのサービスエンティティに第1の通知メッセージを送信するステップであって、第1の通知メッセージは、TMGIとPPP情報との間の第2のマッピング関係を運び、その結果、近接ベースのサービスエンティティは、第2のマッピング関係を運ぶ第2の通知メッセージを中継装置に送信し、中継装置は、格納した第1のマッピング関係を第2のマッピング関係に更新し、第1の下りリンクデータを受信した後、第2のマッピング関係に従って、第1のTMGIに対応する第2のPPP情報を取得し、第1のPPP情報に従って、第1の下りリンクデータを遠隔装置に転送する、ステップ
をさらに含む。
【０１２９】
この任意選択の実施形態では、一部のデータのPPP情報が更新され、その結果、伝送メカニズムはより柔軟であり、実際のサービス要件に応じて変化する。これにより、より優先度の高いデータが優先的に送信されることが保証される（例えば、特定の期間において、データAの優先度が比較的低く、特定の期間においてデータAの優先度が高くなる可能性があるため、優先的な送信のための権利を得るために送信メカニズムを更新する必要がある）。
【０１３０】
以下、理解を容易にするために、DSCPとPPP情報との間の前述のマッピング関係を使用して、ユニキャストデータの下りリンク伝送を行う例を用いて、本発明の本実施形態を詳細に説明する。中継装置パスワードおよびDSCPとPPP情報との間の第2のマッピング関係が、中継装置および近接ベースのサービスエンティティにおいて構成される。中継装置と近接ベースのサービスエンティティとパケットデータネットワークゲートウェイとの間で専用データベアラが確立され、遠隔装置は、中継装置を使用してネットワークに接続する。図4を参照すると、本発明の実施形態の別の実施形態は、以下のステップを含む。
【０１３１】
401．パケットデータネットワークゲートウェイは、アプリケーションサーバからDLデータを受信する。
【０１３２】
402．パケットデータネットワークゲートウェイは、PCC規則を使用して、DLデータからDLデータに対応する第1のPPP情報を検出し、第2のマッピング関係および第1のPPP情報に従って、DLデータのデータヘッダに、第1のPPP情報に対応する第1のDSCPを設定する。
【０１３３】
403．パケットデータネットワークゲートウェイは、DL TFTを使用して、DLデータを対応するデータベアラにマッピングする。
【０１３４】
404．パケットデータネットワークゲートウェイからのDLデータをPC5ポートで受信した後、中継装置は、DLデータのデータヘッダ内の第2のマッピング関係および第1のDSCPに従って、第1のPPP情報を取得する。
【０１３５】
405．中継装置は、第1のPPP情報に従って、DLデータを遠隔装置に転送する。
【０１３６】
406．遠隔装置はDLデータを受信する。
【０１３７】
以下、理解を容易にするために、TMGIとPPP情報との間の前述のマッピング関係を使用して、MBMSデータの下りリンク伝送を行う例を用いて、本発明の本実施形態を詳細に説明する。中継装置パスワードおよびTMGIとPPP情報との間の第1のマッピング関係が、中継装置および近接ベースのサービスエンティティにおいて構成される。中継装置と近接ベースのサービスエンティティとパケットデータネットワークゲートウェイとの間で専用データベアラが確立され、遠隔装置は、中継装置を使用してネットワークに接続する。図5を参照すると、本発明の実施形態の別の実施形態は、以下のステップを含む。
【０１３８】
501．遠隔装置は、第1のTMGIを運ぶ監視要求を中継装置に送信する。
【０１３９】
502．中継装置は、第1のTMGIを運ぶデータ優先度要求を近接ベースのサービスエンティティに送信する。
【０１４０】
503．近接ベースのサービスエンティティは、データ優先度要求をアプリケーションサーバに送信する。
【０１４１】
504．アプリケーションサーバは、第1のTMGIに対応する第1のPPP情報を取得する。
【０１４２】
505．近接ベースのサービスエンティティは、第1のPPP情報を運び、かつアプリケーションサーバによって返された、データ優先度応答を受信する。
【０１４３】
506．近接ベースのサービスエンティティは、第1のPPP情報を中継装置に送信する。
【０１４４】
507．中継装置は、第1のPPP情報を格納し、第1のMBMSデータを受信した後、TMGIとPPP情報との間の第1のマッピング関係に従って、第1のMBMSデータに対応する第1のPPP情報を取得する。
【０１４５】
508．中継装置は、第1のPPP情報に従って、第1のMBMSデータを遠隔装置に転送する。
【０１４６】
509．遠隔装置は、第1のMBMSデータを受信する。
【０１４７】
図6を参照して、以下、本発明の一実施形態による、前述のデータ伝送方法を実行する中継装置について説明する。中継装置60は、
ゲートウェイが送信した第1の下りリンクデータを受信するように構成された送信モジュール601と、
処理モジュール602であって、送信モジュール602が受信した第1の下りリンクデータの第1のサービス識別子を取得し、
サービス識別子とパケット毎優先度（PPP）情報との間の第1のマッピング関係に従って、第1のサービス識別子に対応する第1のPPP情報を取得し、
送信モジュール602を使用して、第1のPPP情報に従って、第1の下りリンクデータを遠隔装置に転送するように構成された処理モジュール602と、
を備える。
【０１４８】
本発明の本実施形態では、中継装置は、サービス識別子とPPP情報との間の第1のマッピング関係を予め設定し、その結果、送信モジュール601が第1の下りリンクデータを受信した後、処理モジュール602は、第1の下りリンクデータの第1のサービス識別子を取得し、第1のマッピング関係に従って、第1のサービス識別子に対応する第1のPPP情報を取得し、第1のPPP情報に従って、送信モジュール601を使用して、第1の下りリンクデータを転送する。これにより、中継装置は、データ優先度に従って優先度の高いデータを素早く転送し、複数回のマッピングを行う必要なく、下りリンクデータパケットのPPP情報を正確かつ迅速に得ることができる。これは、下りリンクデータ伝送の速度および精度を効果的に改善する。
【０１４９】
場合により、送信モジュール601は、
近接ベースのサービスエンティティから第1のマッピング関係を取得する
ようにさらに構成される。
【０１５０】
場合により、第1の下りリンクデータは、第1の下りリンクユニキャストデータであり、第1のサービス識別子は、以下、すなわち、
差別化サービスコードポイント（DSCP）、トラヒッククラス（TC）、またはポート番号
のうちの1つを含む。
【０１５１】
場合により、第1の下りリンクデータは、第1の下りリンクマルチキャストデータである場合、第1のサービス識別子は、一時的移動体グループ識別情報（TMGI）である。
【０１５２】
送信モジュール601は、マルチキャストゲートウェイが送信した第1の下りリンクマルチキャストデータを受信するように特に構成される。
【０１５３】
処理モジュール602は、第1の下りリンクマルチキャストデータの第1のTMGIを取得し、第1のTMGIおよびTMGIとPPP情報との間の第1のマッピング関係に従って、第1のTMGIに対応する第5のPPP情報を取得し、
送信モジュール601を使用して、第5のPPP情報に従って、第1の下りリンクマルチキャストデータを遠隔装置に転送する
ように特に構成される。
【０１５４】
場合により、処理モジュール602が、サービス識別子とPPP情報との間の第1のマッピング関係に従って、第1のサービス識別子に対応する第1のPPP情報を取得する前に、送信モジュール601は、
第1のTMGIを運び、かつ遠隔装置が送信した、監視要求を受信し、第1のTMGIを運ぶデータ優先度要求を近接ベースのサービスエンティティに送信し、
近接ベースのサービスエンティティが送信し、かつ第1のPPP情報または第1のマッピング関係を運ぶ、データ優先度応答を受信する
ようにさらに構成される。
【０１５５】
場合により、マルチキャストゲートウェイが送信した第1の下りリンクマルチキャストデータを受信するステップの前に、送信モジュール601は、
近接ベースのサービスエンティティが送信した第1の通知メッセージを受信し、第1の通知メッセージは、第1のサービス識別子とPPP情報との間の第2のマッピング関係を運ぶ
ようにさらに構成される。
【０１５６】
処理モジュール602は、第1のマッピング関係を第2のマッピング関係に更新するようにさらに構成される。
【０１５７】
図7を参照して、以下、本発明の一実施形態による、前述のデータ伝送方法を実行するパケットデータネットワークゲートウェイについて説明する。パケットデータネットワークゲートウェイ70は、
アプリケーション層が送信した第1の下りリンクデータを受信するように構成された送信モジュール701と、
処理モジュール702であって、送信モジュール701が受信した第1の下りリンクデータから第1のパケット毎優先度（PPP）情報を取得し、ここで、場合により、かつ具体的には、処理モジュール702は、ポリシーおよび課金制御（PCC）規則に従って、フィルタリングによって、第1の下りリンクデータから第1のPPP情報を取得してもよく、
サービス識別子とPPP情報との間の第1のマッピング関係に従って、第1の下りリンクデータに、第1のPPP情報に対応する第1のサービス識別子を設定し、ここで、場合により、かつ具体的には、処理モジュール702は、第1の下りリンクデータのデータヘッダに第1のDSCPまたは第1のTCを設定してもよく、
送信モジュール701を使用して、第1のサービス識別子が設定されている第1の下りリンクデータを中継装置に送信する
ように構成された処理モジュール702と、
を備える。
【０１５８】
場合により、第1の下りリンクデータは、第1の下りリンクユニキャストデータであり、第1のサービス識別子は、以下、すなわち、差別化サービスコードポイント（DSCP）、またはトラヒッククラス（TC）を含む。
【０１５９】
本発明の本実施形態では、処理モジュール702は、ローカルに格納された第1のマッピング関係に従って、送信モジュールが受信した第1の下りリンクデータに、第1のサービス識別子を設定し、その結果、第1の下りリンクデータを受信した後、中継装置は、第1の下りリンクデータから第1のサービス識別子を取得し、かつ第1のマッピング関係に従って、第1のサービス識別子に対応する第1のPPP情報を取得し、次いで、第1のPPP情報に従って、第1の下りリンクデータを転送する。これにより、中継装置は、データ優先度に応じて優先度の高いデータを素早く転送することができる。
【０１６０】
図8を参照して、以下、本発明の一実施形態による、前述のデータ伝送方法を実行するアプリケーションサーバについて説明する。アプリケーションサーバ80は、
第1の一時的移動体グループ識別情報（TMGI）を運び、かつ近接ベースのサービスエンティティが送信した、データ優先度要求を受信するように構成された送信モジュール801と、
送信モジュール801が受信したデータ優先度要求における第1のTMGIに対応する第1のパケット毎優先度（PPP）情報を取得するように構成された処理モジュール802と、
を備える。
【０１６１】
送信モジュール801は、近接ベースのサービスエンティティを使用して、処理モジュール802が取得した第1のPPP情報およびTMGIとPPP情報との間の第1のマッピング関係を中継装置に送信する。
【０１６２】
場合により、送信モジュール801は、
近接ベースのサービスエンティティに第1の通知メッセージを送信し、第1の通知メッセージは、TMGIとPPP情報との間の第2のマッピング関係を運ぶ、
ようにさらに構成される。
【０１６３】
本発明の本実施形態では、送信モジュール801がデータ優先度要求を受信した後、処理モジュール802は、第1のPPP情報を取得し、送信モジュール801および近接ベースのサービスエンティティを使用して、第1のPPP情報を中継装置に返し、その結果、中継装置は、第1のPPP情報およびローカルに格納された第1のマッピング関係に従って、第1の下りリンクデータを遠隔装置に転送できる。これにより、中継装置は、データ優先度に応じて優先度の高いデータを素早く転送することができる。
【０１６４】
図9を参照すると、通信システムは、
図6の中継装置60と、
図7のパケットデータネットワークゲートウェイ70と、
を含む。
【０１６５】
場合により、通信システムは、
図8のアプリケーションサーバ80
をさらに含む。
【０１６６】
本発明は、コンピュータ記憶媒体をさらに提供し、記憶媒体にはプログラムが格納される。プログラムが実行されると、前述のデータ伝送方法におけるステップの一部またはすべてが実行される。
【０１６７】
本発明は、コンピュータ記憶媒体をさらに提供し、記憶媒体にはプログラムが格納される。プログラムが実行されると、中継装置、パケットデータネットワークゲートウェイ、またはアプリケーションサーバによって実行される、前述のデータ伝送方法におけるステップの一部またはすべてが実行される。
【０１６８】
図10は、本発明の一実施形態による中継装置100の別の概略的な構造図である。中継装置100は、少なくとも1つのネットワークインターフェースまたは別の通信インターフェースと、少なくとも1つの受信機1001と、少なくとも1つの送信機1002と、少なくとも1つのプロセッサ1003と、メモリ1004と、を含んで、これらの機器間の接続および通信を実現し得る。少なくとも1つのネットワークインターフェース（有線であっても無線であってもよい）が使用されて、インターネット、広域ネットワーク、ローカルエリアネットワーク、メトロポリタンエリアネットワークなどを介する、システムゲートウェイと少なくとも1つの他のネットワーク要素との間の通信接続を実施する。
【０１６９】
メモリ1004は、読み出し専用メモリおよびランダムアクセスメモリを含み得、プロセッサ1003に命令およびデータを提供し得る。メモリ1004の一部は、高速ランダムアクセスメモリ（正式名：Random Access Memory、略称：RAM）をさらに含み得、不揮発性メモリ（正式名：non-volatile memory、略称：NVM）を含み得る。
【０１７０】
メモリ1004は、以下の要素、すなわち、実行可能なモジュールもしくはデータ構造、そのサブセット、またはそれらの拡張セット、すなわち、
様々な動作命令を含み、様々な動作命令を実装するために使用される、動作命令と、
様々なシステムプログラムを含み、様々な基本サービスを実施し、ハードウェアベースのタスクを処理するために使用される、オペレーティングシステムと、
を格納する。
【０１７１】
本発明の本実施形態では、プロセッサ1003は、メモリ1004に格納された動作命令（動作命令は、オペレーティングシステムに格納されてもよい）を呼び出すことによって、以下の動作、すなわち、
受信機1001を使用して、ゲートウェイが送信した第1の下りリンクデータを受信するステップと、
受信した第1の下りリンクデータの第1のサービス識別子を取得するステップと、
サービス識別子とパケット毎優先度（PPP）情報との間の第1のマッピング関係に従って、第1のサービス識別子に対応する第1のPPP情報を取得するステップと、
送信機1002を使用して、第1のPPP情報に従って、第1の下りリンクデータを遠隔装置に転送するステップと、
を実行する。
【０１７２】
一部の実装では、プロセッサ1003は、以下のステップ、すなわち、
受信機1001を使用して、近接ベースのサービスエンティティから第1のマッピング関係を取得するステップ
をさらに実行し得る。
【０１７３】
第1の下りリンクデータは、第1の下りリンクユニキャストデータであり、第1のサービス識別子は、以下、すなわち、
差別化サービスコードポイント（DSCP）、トラヒッククラス（TC）、またはポート番号
のうちの1つを含む。
【０１７４】
あるいは、第1の下りリンクデータは、第1の下りリンクマルチキャストデータであり、第1のサービス識別子は、一時的移動体グループ識別情報（TMGI）である。
【０１７５】
一部の実装では、サービス識別子とPPP情報との間の第1のマッピング関係に従って、第1のサービス識別子に対応する第1のPPP情報を取得するステップの前に、プロセッサ1003は、以下のステップ、すなわち、
受信機1001を使用して、第1のTMGIを運び、かつ遠隔装置が送信した、監視要求を受信するステップと、
送信機1002を使用して、第1のTMGIを近接ベースのサービスエンティティに運ぶ、データ優先度要求を送信するステップと、
受信機1001を使用して、近接ベースのサービスエンティティが送信した、TMGIとPPP情報との間の第1のマッピング関係を運ぶ、または第1のPPP情報を運ぶ、データ優先度応答を受信するステップと、
をさらに行い得る。
【０１７６】
一部の実装では、マルチキャストゲートウェイが送信した第1の下りリンクマルチキャストデータを受信するステップの前に、プロセッサ1003は、以下のステップ、すなわち、
受信機1001を使用して、近接ベースのサービスエンティティが送信した第1の通知メッセージを受信するステップであって、第1の通知メッセージは、TMGIとPPP情報との間の第2のマッピング関係を運ぶ、ステップと、
第1のマッピング関係を第2のマッピング関係に更新するステップと、
をさらに行い得る。
【０１７７】
図11は、本発明の一実施形態によるパケットデータネットワークゲートウェイ110の別の概略的な構造図である。パケットデータネットワークゲートウェイ100は、少なくとも1つのネットワークインターフェースまたは別の通信インターフェースと、少なくとも1つの受信機1101と、少なくとも1つの送信機1102と、少なくとも1つのプロセッサ1103と、メモリ1104と、を含んで、これらの機器間の接続および通信を実現し得る。少なくとも1つのネットワークインターフェース（有線であっても無線であってもよい）が使用されて、インターネット、広域ネットワーク、ローカルエリアネットワーク、メトロポリタンエリアネットワークなどを介する、システムゲートウェイと少なくとも1つの他のネットワーク要素との間の通信接続を実施する。
【０１７８】
メモリ1104は、読み出し専用メモリおよびランダムアクセスメモリを含み得、プロセッサ1103に命令およびデータを提供し得る。メモリ1104の一部は、高速ランダムアクセスメモリ（正式名：Random Access Memory、略称：RAM）をさらに含み得、不揮発性メモリ（正式名：non-volatile memory、略称：NVM）を含み得る。
【０１７９】
メモリ1104は、以下の要素、すなわち、実行可能なモジュールもしくはデータ構造、そのサブセット、またはそれらの拡張セット、すなわち、
様々な動作命令を含み、様々な動作命令を実装するために使用される、動作命令と、
様々なシステムプログラムを含み、様々な基本サービスを実施し、ハードウェアベースのタスクを処理するために使用される、オペレーティングシステムと、
を格納する。
【０１８０】
本発明の本実施形態では、プロセッサ1103は、メモリ1104に格納された動作命令（動作命令は、オペレーティングシステムに格納されてもよい）を呼び出すことによって、以下の動作、すなわち、
受信機1101を使用して、アプリケーション層が送信した第1の下りリンクデータを受信するステップと、
受信機1101が受信した第1の下りリンクデータから第1のパケット毎優先度（PPP）情報を取得するステップと、
サービス識別子とPPP情報との間の第1のマッピング関係に従って、第1の下りリンクデータに、第1のPPP情報に対応する第1のサービス識別子を設定するステップと、
送信機1102を使用して、第1のサービス識別子が設定されている第1の下りリンクデータを中継装置に送信するステップと、
を実行する。
【０１８１】
第1の下りリンクデータは、第1の下りリンクユニキャストデータであり、第1のサービス識別子は、以下、すなわち、差別化サービスコードポイント（DSCP）、またはトラヒッククラス（TC）を含む。
【０１８２】
一部の実装では、プロセッサ1103は、以下のステップ、すなわち、
第1のDSCPまたは第1のTCを第1の下りリンクデータのデータヘッダに設定するステップ
をさらに実行し得る。
【０１８３】
一部の実装では、プロセッサ1103は、以下のステップ、すなわち、
ポリシーおよび課金制御（PCC）規則に従って、フィルタリングによって第1の下りリンクデータからの第1のPPP情報を取得するステップ
をさらに実行し得る。
【０１８４】
図12は、本発明の一実施形態によるアプリケーションサーバ120の別の概略的な構造図である。パケットデータネットワークゲートウェイ120は、少なくとも1つのネットワークインターフェースまたは別の通信インターフェースと、少なくとも1つの受信機1201と、少なくとも1つの送信機1202と、少なくとも1つのプロセッサ1203と、メモリ1204と、を含んで、これらの機器間の接続および通信を実現し得る。少なくとも1つのネットワークインターフェース（有線であっても無線であってもよい）が使用されて、インターネット、広域ネットワーク、ローカルエリアネットワーク、メトロポリタンエリアネットワークなどを介する、システムゲートウェイと少なくとも1つの他のネットワーク要素との間の通信接続を実施する。
【０１８５】
メモリ1204は、読み出し専用メモリおよびランダムアクセスメモリを含み得、プロセッサ1203に命令およびデータを提供し得る。メモリ1204の一部は、高速ランダムアクセスメモリ（正式名：Random Access Memory、略称：RAM）をさらに含み得、不揮発性メモリ（正式名：non-volatile memory、略称：NVM）を含み得る。
【０１８６】
メモリ1204は、以下の要素、すなわち、実行可能なモジュールもしくはデータ構造、そのサブセット、またはそれらの拡張セット、すなわち、
様々な動作命令を含み、様々な動作命令を実装するために使用される、動作命令と、
様々なシステムプログラムを含み、様々な基本サービスを実施し、ハードウェアベースのタスクを処理するために使用される、オペレーティングシステムと、
を格納する。
【０１８７】
本発明の本実施形態では、プロセッサ1203は、メモリ1204に格納された動作命令（動作命令は、オペレーティングシステムに格納されてもよい）を呼び出すことによって、以下の動作、すなわち、
受信機1201を使用して、第1の一時的移動体グループ識別情報（TMGI）を運び、かつ近接ベースのサービスエンティティが送信した、データ優先度要求を受信するステップと、
受信機1201が受信したデータ優先度要求における第1のTMGIに対応する第1のPPP情報を取得するステップと、
送信機1202および近接ベースのサービスエンティティを使用して、取得した第1のPPP情報およびTMGIとPPP情報との間の第1のマッピング関係を中継装置に送信するステップと、
を実行する。
【０１８８】
一部の実装では、プロセッサ1203は、以下のステップ、すなわち、
送信機1202を使用して、近接ベースのサービスエンティティに第1の通知メッセージを送信するステップであって、第1の通知メッセージは、TMGIとPPP情報との間の第2のマッピング関係を運ぶ、ステップ
をさらに実行し得る。
【０１８９】
図13を参照して、本発明の一実施形態によるデータ伝送方法について、中継装置を改良する観点から説明する。本発明の本実施形態は、以下のステップを含む。
【０１９０】
1301．中継装置は、ゲートウェイが送信した第1の下りリンクデータパケットを受信する。
【０１９１】
1302．中継装置は、第1の下りリンクデータパケットに従って、第1のデータストリーム記述を取得する。
【０１９２】
1302．中継装置は、取得した第1のデータストリーム記述と、データストリーム記述と近接サービスのパケット毎優先度（正式名：Proximity Services Per packet priority、略称：PPPP）情報との間のマッピング関係と、に従って、第1の下りリンクデータパケットの第1のPPPP情報を取得する。
【０１９３】
中継装置によって、第1の下りリンクデータパケットに従って、第1のデータストリーム記述を取得するステップは、
中継装置によって、第1の下りリンクデータパケットをフィルタリングして、第1の下りリンクデータパケットに対応する第1のデータストリーム記述を判定するステップ
を含む。「フィルタリング」は、第1の下りリンクデータパケットに従って同じIP5タプルのデータストリーム記述を判定すること、またはQCIが同じである場合には第1の下りリンクデータパケットに従って同じIP5タプルのデータストリーム記述を判定すること、または同じTMGIのデータストリーム記述を判定することを特に意味する。データストリーム記述は、IP5タプルまたはTMGIであってもよく、1つのデータストリーム記述は、多くのIP5タプルを含んでもよい。IP5タプルは、下りリンクデータパケットのIPヘッダ内に位置する。中継装置は、第1の下りリンクデータパケットのIP5タプルをまず読み取り、次いで、IP5タプルに従って、IP5タプルに一致する第1のデータストリーム記述を判定し得る。加えて、異なるアプリケーションサーバからの下りリンクデータパケットは、異なるIP5タプルに対応する。
【０１９４】
場合により、方法は、
中継装置によって、遠隔装置が送信した第1のメッセージを受信するステップであって、第1のメッセージは、マッピング関係を運ぶ、ステップ
をさらに含む。
【０１９５】
第1の下りリンクデータパケットは、ユニキャストデータパケットまたはマルチキャストデータパケットに分類されることから、データパケットに対応するデータストリーム記述は異なる。詳細は以下のとおりである。
【０１９６】
1．第1の下りリンクデータパケットがユニキャストデータパケットである場合、データストリーム記述は、インターネットプロトコル（IP）5タプルである。
【０１９７】
中継装置は、データストリーム記述に従って、同一のアプリケーションサーバからのユニキャストデータパケットのPPPP情報を区別し、ユニキャストデータパケットのPPPP情報をポート番号で表すことができる。IP-5-Tupleには、同じ送信元アドレス、同じ宛先アドレス、および異なるポート番号のセットが含まれる。つまり、第1のデータストリーム記述は、同じ送信元アドレス、同じ宛先アドレス、および異なるポート番号のセットを含むIP-5-Tupleである。
【０１９８】
2．第1の下りリンクデータパケットがマルチキャストデータパケットである場合、データストリーム記述は、一時的移動体グループ識別情報（TMGI）である。このケースでは、中継装置は、同一のアプリケーションサーバからのマルチキャストデータパケットのPPPP情報を更新でき、これは、
中継装置によって、遠隔装置が送信した優先度更新要求を受信するステップと、中継装置によって、データストリーム記述とPPPP情報との間のマッピング関係を更新するステップと、
中継装置によって、遠隔装置に優先度更新応答を返すステップであって、優先度更新応答は、TMGIとPPPP情報との間のマッピング関係を運ぶ、ステップと、
で特にあり得る。
【０１９９】
加えて、第1のデータストリーム記述は、以下の方式、すなわち、
第1のデータストリーム記述は、遠隔装置のIPアドレスに従って、アプリケーションサーバによって生成される方式、
第1のデータストリーム記述は、アプリケーションサーバが送信した第1の識別情報に、IP5タプルの宛先アドレスおよび第1の下りリンクデータパケットが送信される宛先ポートを追加することによって、遠隔装置によって取得され、第1の識別情報は、IP5タプルの送信元アドレスおよび第1の下りリンクデータパケットを送信する送信元ポートを含む、方式、または
第1のデータストリーム記述は、遠隔装置が送信した第2の識別情報に従って、中継装置によって生成され、第1の識別情報は、IP5タプルの送信元アドレス、IP5タプルの宛先アドレス、第1の下りリンクデータパケットを送信する送信元ポート、および第1の下りリンクデータパケットが送信される宛先ポートを含む、方式
のうちの1つで取得される。
【０２００】
場合により、マッピング関係は、データストリーム記述、QCI、およびPPPP情報の間のマッピング関係をさらに含むことができる。
【０２０１】
1303．中継装置は、第1のPPPP情報に従って、第1の下りリンクデータパケットを遠隔装置に転送する。
【０２０２】
本発明の本実施形態では、データストリーム記述とPPPP情報との間のマッピング関係が構成され、その結果、第1の下りリンクデータパケットを受信した後、中継装置は、取得された第1のデータストリーム記述およびマッピング関係に従って、第1のPPPP情報を取得でき、その結果、優先度の高いデータパケットが転送される。本解決策によれば、中継装置のみが改善される。これは、ネットワーク側を改善する必要なしに、操作性が良く、実装が容易であり、それによって、改善コストを効果的に削減する。
【０２０３】
図14を参照して、本発明の一実施形態によるデータ伝送方法について、遠隔装置を改良する観点から説明する。本発明の本実施形態は、以下のステップを含む。
【０２０４】
1401．遠隔装置は、第1のメッセージを中継装置に送信し、第1のメッセージは、第1のデータストリーム記述を運び、または第1のメッセージは、データストリーム記述と近接サービスのパケット毎優先度（PPPP）情報との間のマッピング関係を運ぶ。
【０２０５】
第1の下りリンクデータパケットがユニキャストデータパケットである場合、第1のデータストリーム記述は、インターネットプロトコル（IP）5タプルである。
【０２０６】
第1の下りリンクデータパケットがマルチキャストデータパケットである場合、第1のデータストリーム記述は、一時的移動体グループ識別情報（TMGI）である。
【０２０７】
場合により、第1のデータストリーム記述は、以下の方式、すなわち、
第1のデータストリーム記述は、遠隔装置のIPアドレスに従って、アプリケーションサーバによって生成される方式、または
第1のデータストリーム記述は、アプリケーションサーバが送信した第1の識別情報に、IP5タプルの宛先アドレスおよび第2の下りリンクデータパケットが送信される宛先ポートを追加することによって、遠隔装置によって取得され、第1の識別情報は、IP5タプルの送信元アドレスおよび第1の下りリンクデータパケットを送信する送信元ポートを含む、方式
のうちの1つで取得される。
【０２０８】
1402．遠隔装置は、中継装置が送信した第1の下りリンクデータパケットを受信し、第1の下りリンクデータパケットは、第1のPPPP情報に対応し、かつゲートウェイが送信した第1の下りリンクデータパケットを受信した後、マッピング関係または第1のデータストリーム記述のうちの少なくとも1つに従って、中継装置によって判定される、下りリンクデータパケットである。
【０２０９】
本発明の本実施形態では、遠隔装置が中継装置からデータパケットを要求する必要がある場合、遠隔装置は、第1のメッセージを中継装置に送信し、その結果、中継装置は、第1のメッセージに従って、第1の下りリンクデータパケットのPPPP情報を取得し、その結果、優先度の高いデータパケットが転送される。本解決策によれば、遠隔装置のみが改善される。これは、ネットワーク側を改善する必要なしに、操作性が良く、実装が容易であり、それによって、改善コストを効果的に削減する。
【０２１０】
場合により、本発明の一部の実施形態では、本方法は、
遠隔装置によって、中継装置に第2の識別情報を送信するステップであって、第2の識別情報は、IP5タプルの送信元アドレス、IP5タプルの宛先アドレス、第2の下りリンクデータパケットを送信する送信元ポート、および第2の下りリンクデータパケットが送信される宛先ポートを含む、ステップ
をさらに含む。
【０２１１】
図15は、本発明の一実施形態による中継装置150の別の概略的な構造図である。中継装置150は、少なくとも1つのネットワークインターフェースまたは別の通信インターフェースと、少なくとも1つの受信機1501と、少なくとも1つの送信機1502と、少なくとも1つのプロセッサ1503と、メモリ1504と、を含んで、これらの機器間の接続および通信を実現し得る。少なくとも1つのネットワークインターフェース（有線であっても無線であってもよい）は、インターネット、広域ネットワーク、ローカルエリアネットワーク、メトロポリタンエリアネットワークなどを介する、システムゲートウェイと少なくとも1つの別のネットワーク要素との間の通信接続を実施する。
【０２１２】
メモリ1504は、読み出し専用メモリおよびランダムアクセスメモリを含み得、プロセッサ1503に命令およびデータを提供し得る。メモリ1504の一部は、高速ランダムアクセスメモリをさらに含み得、不揮発性メモリ（正式名：non-volatile memory、略称：NVM）を含み得る。
【０２１３】
メモリ1504は、以下の要素、すなわち、実行可能なモジュールもしくはデータ構造、そのサブセット、またはそれらの拡張セット、すなわち、
様々な動作命令を含み、様々な動作命令を実装するために使用される、動作命令と、
様々なシステムプログラムを含み、様々な基本サービスを実施し、ハードウェアベースのタスクを処理するために使用される、オペレーティングシステムと、
を格納する。
【０２１４】
本発明の本実施形態では、プロセッサ1503は、メモリ1504に格納された動作命令（動作命令は、オペレーティングシステムに格納されてもよい）を呼び出すことによって、以下の動作、すなわち、
受信機1501を使用して、ゲートウェイが送信した第1の下りリンクデータパケットを受信するステップと、
第1の下りリンクデータパケットに従って、第1のデータストリーム記述を取得するステップと、
第1のデータストリーム記述およびデータストリーム記述と近接サービスのパケット毎優先度（PPPP）情報との間のマッピング関係に従って、第1の下りリンクデータパケットの第1のPPPP情報を取得するステップと、
送信機を使用して、第1のPPPP情報に従って、第1の下りリンクデータパケットを遠隔装置に転送するステップと、
を実行する。
【０２１５】
本発明の一部の実施形態では、プロセッサ1503は、以下のステップ、すなわち、
第1の下りリンクデータパケットをフィルタリングして、第1の下りリンクデータパケットに対応する第1のデータストリーム記述を判定するステップ
を特に実行する。
【０２１６】
本発明の一部の実施形態では、プロセッサ1503は、以下のステップ、すなわち、
受信機1501を使用して、遠隔装置が送信した第1のメッセージを受信するステップであって、第1のメッセージは、マッピング関係を運ぶ、ステップ
を特に実行する。
【０２１７】
場合により、第1の下りリンクデータパケットがユニキャストデータパケットであり、データストリーム記述は、インターネットプロトコル（IP）5タプルである。
【０２１８】
データストリーム記述は、同じアプリケーションサーバからのユニキャストデータパケットのPPPP情報を区別するために使用され、ユニキャストデータパケットの前記PPPP情報は、ポート番号によって表され、IP5タプルは、同じ送信元アドレス、同じ宛先アドレス、および異なるポート番号のセットを含む。
【０２１９】
場合により、第1の下りリンクデータパケットがマルチキャストデータパケットであり、データストリーム記述は、一時的移動体グループ識別情報（TMGI）である。
【０２２０】
本発明の一部の実施形態では、プロセッサ1503は、以下のステップ、すなわち、
送信機1501を使用して、遠隔装置が送信した優先度更新要求を受信するステップと、
データストリーム記述とPPPP情報との間のマッピング関係を更新するステップと、
送信機1502を使用して、遠隔装置に優先度更新応答を返すステップと、
を特に実行する。
【０２２１】
場合により、第1のデータストリーム記述は、以下の方式、すなわち、
第1のデータストリーム記述は、遠隔装置のIPアドレスに従って、アプリケーションサーバによって生成される方式、
第1のデータストリーム記述は、アプリケーションサーバが送信した第1の識別情報に、IP5タプルの宛先アドレスおよび第1の下りリンクデータパケットが送信される宛先ポートを追加することによって、遠隔装置によって取得され、第1の識別情報は、IP5タプルの送信元アドレスおよび第1の下りリンクデータパケットを送信する送信元ポートを含む、方式、または
第1のデータストリーム記述は、遠隔装置が送信した第2の識別情報に従って、中継装置によって生成され、第2の識別情報は、IP5タプルの送信元アドレス、IP5タプルの宛先アドレス、第1の下りリンクデータパケットを送信する送信元ポート、および第1の下りリンクデータパケットが送信される宛先ポートを含む、方式
のうちの1つで取得される。
【０２２２】
図16は、本発明の一実施形態による遠隔装置160の別の概略的な構造図である。遠隔装置160は、少なくとも1つのネットワークインターフェースまたは別の通信インターフェースと、少なくとも1つの受信機1601と、少なくとも1つの送信機1602と、少なくとも1つのプロセッサ1603と、メモリ1604と、を含んで、これらの機器間の接続および通信を実現し得る。少なくとも1つのネットワークインターフェース（有線であっても無線であってもよい）が使用されて、インターネット、広域ネットワーク、ローカルエリアネットワーク、メトロポリタンエリアネットワークなどを介する、システムゲートウェイと少なくとも1つの他のネットワーク要素との間の通信接続を実施する。
【０２２３】
メモリ1604は、読み出し専用メモリおよびランダムアクセスメモリを含み得、プロセッサ1603に命令およびデータを提供し得る。メモリ1604の一部は、高速ランダムアクセスメモリをさらに含み得、不揮発性メモリ（正式名：non-volatile memory、略称：NVM）を含み得る。
【０２２４】
メモリ1604は、以下の要素、すなわち、実行可能なモジュールもしくはデータ構造、そのサブセット、またはそれらの拡張セット、すなわち、
様々な動作命令を含み、様々な動作命令を実装するために使用される、動作命令と、
様々なシステムプログラムを含み、様々な基本サービスを実施し、ハードウェアベースのタスクを処理するために使用される、オペレーティングシステムと、
を格納する。
【０２２５】
本発明の本実施形態では、プロセッサ1603は、メモリ1604に格納された動作命令（動作命令は、オペレーティングシステムに格納されてもよい）を呼び出すことによって、以下の動作、すなわち、
送信機1602を使用して、第1のメッセージを中継装置に送信するステップであって、第1のメッセージは、第1のデータストリーム記述を運び、または第1のメッセージは、データストリーム記述と近接サービスのパケット毎優先度（PPPP）情報との間のマッピング関係を運ぶ、ステップと、
受信機1601を使用して、中継装置が送信した第1の下りリンクデータパケットを受信するステップであって、第1の下りリンクデータパケットは、第1のPPPP情報に対応し、かつ第1のPPPP情報によって送信された第1の下りリンクデータパケットを受信した後に、ゲートウェイが送信した第1の下りリンクデータパケットを受信した後、マッピング関係または第1のデータストリーム記述のうちの少なくとも1つに従って、中継装置によって判定される、下りリンクデータパケットである、ステップと、
を実行する。
【０２２６】
場合により、第1の下りリンクデータパケットがユニキャストデータパケットである場合、第1のデータストリーム記述は、インターネットプロトコル（IP）5タプルである。
【０２２７】
場合により、第1の下りリンクデータパケットがマルチキャストデータパケットである場合、第1のデータストリーム記述は、一時的移動体グループ識別情報（TMGI）である。
【０２２８】
場合により、第1のデータストリーム記述は、以下の方式、すなわち、
第1のデータストリーム記述は、遠隔装置のIPアドレスに従って、アプリケーションサーバによって生成される方式、または
第1のデータストリーム記述は、アプリケーションサーバが送信した第1の識別情報に、IP5タプルの宛先アドレスおよび第1の下りリンクデータパケットが送信される宛先ポートを追加することによって、遠隔装置によって取得され、第1の識別情報は、IP5タプルの送信元アドレスおよび第1の下りリンクデータパケットを送信する送信元ポートを含む、方式
のうちの1つで取得される。
【０２２９】
本発明の一部の実施形態では、プロセッサ1603は、以下のステップ、すなわち、
送信機1602を使用して、中継装置に第2の識別情報を送信するステップであって、第2の識別情報は、IP5タプルの送信元アドレス、IP5タプルの宛先アドレス、第1の下りリンクデータパケットを送信する送信元ポート、および第1の下りリンクデータパケットが送信される宛先ポートを含む、ステップ
をさらに実行し得る。
【０２３０】
上述した実施形態では、各実施形態の説明には、それぞれの重点がある。一実施形態において詳細に記載されていない部分については、他の実施形態における関連説明を参照されたい。
【０２３１】
当業者であれば、説明を簡便にする目的で、上記のシステム、装置、およびユニットの詳細な動作プロセスについては、上記方法実施形態における対応するプロセスを参照できることを明確に理解するはずであり、ここでは細部を説明しない。
【０２３２】
本出願において提供されるいくつかの実施形態においては、開示のシステム、装置、および方法を他のやり方で実装することもできることを理解されたい。例えば、説明された装置実施形態は単なる例に過ぎない。例えば、ユニットの分割は単なる論理的機能分割に過ぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示された、または論じられた相互結合または直接結合または通信接続は、いくつかのインターフェースを介して実現でき、装置間またはユニット間の間接結合または通信接続は、電気接続、機械接続、または他の形態の接続で実現することができる。
【０２３３】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０２３４】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。統合ユニットはハードウェアの形態で実現することもでき、ソフトウェア機能ユニットの形態で実現することもできる。
【０２３５】
統合ユニットがソフトウェア機能ユニットの形態で実現され、独立した製品として販売される場合、統合ユニットは、コンピュータ可読記憶媒体に記憶することができる。そうした理解に基づき、本発明の技術解決策を本質的に、または従来技術に寄与する部分を、または技術的な解決策のすべてまたは一部を、ソフトウェア製品の形態で実現することができる。ソフトウェア製品は記憶媒体に記憶されており、（パーソナルコンピュータ、サーバ、もしくはネットワーク機器などとすることができる）コンピュータデバイスに、本発明の各実施形態で説明されている方法のステップのすべてまたは一部を実行するよう命令するためのいくつかの命令を含む。上記記憶媒体は、USBフラッシュドライブ、取り外し可能ハードディスク、読み出し専用メモリ（英語正式名：Read-Only Memory、略称：ROM）、RAM、磁気ディスク、光ディスクといった、プログラムコードを記憶することができる任意の媒体を含む。
【０２３６】
以上、本発明で提供されるデータ伝送方法、関連装置、およびシステムについて詳細に説明した。本明細書では、特定の例を用いて本発明の原理および実装を説明し、実施形態の説明は、本発明の方法および核となる思想を理解するのを助けることのみを目的とするものである。加えて、当業者であれば、本発明の思想に基づいて、特定の実装および適用範囲に関して修正を加えることができる。従って、本明細書の内容は、本発明を限定するものとして解釈されるべきではない。
【符号の説明】
【０２３７】
60  中継装置
601  送信モジュール
602  処理モジュール
70  パケットデータネットワークゲートウェイ
701  送信モジュール
702  処理モジュール
80  アプリケーションサーバ
801  送信モジュール
802  処理モジュール
90  通信システム
1001，1101，1201，1501，1601  受信機
1002，1102，1202，1502，1602  送信機
1003，1103，1203，1503，1603  プロセッサ
【図１】
0006501967.tif 000002
【図２】
0006501967.tif 000003
【図２−１】
0006501967.tif 000004
【図２−２】
0006501967.tif 000005
【図３】
0006501967.tif 000006
【図４】
0006501967.tif 000007
【図５】
0006501967.tif 000008
【図６】
0006501967.tif 000009
【図７】
0006501967.tif 000010
【図８】
0006501967.tif 000011
【図９】
0006501967.tif 000012
【図１０】
0006501967.tif 000013
【図１１】
0006501967.tif 000014
【図１２】
0006501967.tif 000015
【図１３】
0006501967.tif 000016
【図１４】
0006501967.tif 000017
【図１５】
0006501967.tif 000018
【図１６】
0006501967.tif 000019